(57)【要約】【課題】エアコンに接続された吹出ダクトから吹き出す冷風又は温風を作業者の衣服内に送り込むことができると共に、吹出ダクトから吹き出した冷風又は温風に当たることもできるエアコン用延長ホースを提供する。【解決手段】柔軟性を有しかつ外径が、スポットエアコン（エアコン）４に接続された吹出ダクト５の内径より小さく形成されたホース２と、ホース２の一端部２ａを吹出ダクト５内に挿入した状態で、ホース２を吹出ダクト５に着脱自在に固定可能な留め部材３、を備えている。留め部材３は、吹出ダクト５の先端部を着脱自在に挟持可能なクリップ部２１と、クリップ部２１の内面側に突設されかつホース２を着脱自在に保持可能な少なくとも１つの保持部２２、を備えている。【選択図】図１
2013087960.tif 000002
【特許請求の範囲】
【請求項１】
柔軟性を有しかつ外径が、エアコンに接続された吹出ダクトの内径より小さく形成されたホースと、
前記ホースの一端部を前記吹出ダクト内に挿入した状態で、前記ホースを前記吹出ダクトに着脱自在に固定可能な留め部材、
を備えたことを特徴とするエアコン用延長ホース。
【請求項２】
前記留め部材が、
前記吹出ダクトの先端部を着脱自在に挟持可能なクリップ部と、
前記クリップ部の内面側に突設されかつ前記ホースを着脱自在に保持可能な少なくとも１つの保持部、
を備えた請求項１に記載のエアコン用延長ホース。
【請求項３】
前記留め部材が、
前記吹出ダクトの先端部を着脱自在に挟持可能なクリップ部と、
前記クリップ部の内面側に突設されかつ前記ホースを挿通可能な少なくとも１つの挿通孔を有する保持板と、
前記保持板に着脱自在に固定されかつ前記保持板と前記吹出ダクトの間に形成される開口部を閉塞可能な閉塞板、
を備えた請求項１に記載のエアコン用延長ホース。
【請求項４】
前記閉塞板に少なくとも１つの貫通孔を設け、
前記貫通孔を閉塞可能なキャップを前記貫通孔に着脱自在に嵌着した請求項３に記載のエアコン用延長ホース。
【請求項５】
前記クリップ部の外面側の先端に突出部を設けた請求項２から４のいずれかに記載のエアコン用延長ホース。
【請求項６】
前記吹出ダクトの外周面に前記突出部の近傍で前記クリップ部を介して締め付け可能な締め付けバンドを備えた請求項５に記載のエアコン用延長ホース。
【請求項７】
前記ホースの他端部に重りを取り付けた請求項１から６のいずれかに記載のエアコン用延長ホース。
【請求項８】
前記ホースの他端部を作業者の衣服内に挿入した状態で、前記ホースを前記衣服に着脱自在に固定可能な作業者用留め部材を備えた請求項１から６のいずれかに記載のエアコン用延長ホース。
【請求項９】
前記作業者用留め部材が、
前記衣服を着脱自在に挟持可能なクリップ部と、
前記クリップ部の内面側に突設されかつ前記ホースを着脱自在に保持可能な少なくとも１つの保持部、
を備えた請求項８に記載のエアコン用延長ホース。
【請求項１０】
前記ホースの一端部に端管を接続した請求項１から９のいずれかに記載のエアコン用延長ホース。
【請求項１１】
前記端管が、前記吹出ダクト内を通る冷風又は温風を集風可能な集風管である請求項１０に記載のエアコン用延長ホース。
【請求項１２】
前記ホースの他端部に端管を接続した請求項１から１１のいずれかに記載のエアコン用延長ホース。
【請求項１３】
前記端管の外周面に、周方向に沿って延びる突出部を設けた請求項１０又は１２に記載のエアコン用延長ホース。
【発明の詳細な説明】
【技術分野】
【０００１】
本発明は、スポット空調（局所的な空調）が可能なエアコンの冷風又は温風を作業者の衣服内に送り込むためのエアコン用延長ホースに関するものである。
【背景技術】
【０００２】
周知のように、工場、作業所、オフィス、飲食店等の店舗等においては、夏季や冬季の省エネルギー対策として、吹出ダクトを接続したスポットエアコン等のエアコンによりスポット空調を行うことが多い。
【０００３】
また、エアコンに接続された吹出ダクトから吹き出す冷風又は温風を作業者の衣服内に送り込むための従来の技術としては、作業者の身体に装着される送風体の適所に送風口を開口し、前記送風体に冷風又は温風の導入ホースを連設し、前記導入ホースの端部に、建物や固定物に付設されかつ冷風又は温風を導出する導出部に接続される連結機構を設けた作業者用冷暖具（例えば、特許文献１参照。）が知られている。
【０００４】
更に、自動車の空調装置の空気吹き出し口に着脱可能な接続部材と、前記接続部材に一端が接続され前記空気吹き出し口からの冷風又は温風を通すホース部と、前記ホース部の他端に接続され前記自動車の搭乗者の身につけた衣服内に挿入可能な細長形状のノズル部材と、前記ノズル部材を前記衣服内に挿入した状態で前記衣服又は前記搭乗者に着脱可能に固定する留め部材を備えた車載空調装置用衣服内空気導入具（例えば、特許文献２参照。）も知られている。
【先行技術文献】
【特許文献】
【０００５】
【特許文献１】特開平６−９３５０１号公報（請求項１、図１〜図３、等）
【特許文献２】特許第４５２８１５２号公報（請求項１、図１、図２、図７、等）
【発明の開示】
【発明が解決しようとする課題】
【０００６】
しかし、上記のような作業者用冷暖具や車載空調装置用衣服内空気導入具においては、エアコンの冷風等の全てが導入ホースやホース部に送り込まれるように構成され、エアコンに接続された吹出ダクトから冷風等が吹き出さないので、吹出ダクトから吹き出した冷風等に当たることができないという問題点がある。
【０００７】
本発明は、以上のような事情や問題点に鑑みてなされたものであり、エアコンに接続された吹出ダクトから吹き出す冷風又は温風を作業者の衣服内に送り込むことができると共に、吹出ダクトから吹き出した冷風又は温風に当たることもできるエアコン用延長ホースを提供することを目的とする。
【課題を解決するための手段】
【０００８】
上記目的を達成するための第１の発明は、
柔軟性を有しかつ外径が、エアコンに接続されたスポットエアコンの吹出ダクトの内径より小さく形成されたホースと、
前記ホースの一端部を前記吹出ダクト内に挿入した状態で、前記ホースを前記吹出ダクトに着脱自在に固定可能な留め部材、
を備えたものである。
【０００９】
第２の発明は、
前記留め部材が、
前記吹出ダクトの先端部を着脱自在に挟持可能なクリップ部と、
前記クリップ部の内面側に突設されかつ前記ホースを着脱自在に保持可能な少なくとも１つの保持部、
を備えたものである。
【００１０】
第３の発明は、
前記留め部材が、
前記吹出ダクトの先端部を着脱自在に挟持可能なクリップ部と、
前記クリップ部の内面側に突設されかつ前記ホースを挿通可能な少なくとも１つの挿通孔を有する保持板と、
前記保持板に着脱自在に固定されかつ前記保持板と前記吹出ダクトの間に形成される開口部を閉塞可能な閉塞板、
を備えたものである。
【００１１】
第４の発明は、
前記閉塞板に少なくとも１つの貫通孔を設け、
前記貫通孔を閉塞可能なキャップを前記貫通孔に着脱自在に嵌着したものである。
【００１２】
第５の発明は、前記クリップ部の外面側に突出部を設けたものである。
【００１３】
第６の発明は、前記吹出ダクトの外周面に前記突出部の近傍で前記クリップ部を介して締め付け可能な締め付けバンドを備えたものである。
【００１４】
第７の発明は、前記ホースの他端部に重りを取り付けたものである。
【００１５】
第８の発明は、前記ホースの他端部を作業者の衣服内に挿入した状態で、前記ホースを前記衣服に着脱自在に固定可能な作業者用留め部材を備えたものである。
【００１６】
第９の発明は、
前記作業者用留め部材が、
前記衣服を着脱自在に挟持可能なクリップ部と、
前記クリップ部の内面側に突設されかつ前記ホースを着脱自在に保持可能な少なくとも１つの保持部、
を備えたものである。
【００１７】
第１０の発明は、前記ホースの一端部に端管を接続したものである。
【００１８】
第１１の発明は、前記端管が、前記吹出ダクト内を通る冷風又は温風を集風可能な集風管であるものである。
【００１９】
第１２の発明は、前記ホースの他端部に端管を接続したものである。
【００２０】
第１３の発明は、前記端管の外周面に、周方向に沿って延びる突出部を設けたものである。
【発明の効果】
【００２１】
第１の発明によれば、ホースを通してエアコンの冷風又は温風を作業者の衣服内に送り込むことができると共に、ホースと吹出ダクトの隙間から吹き出した冷風又は温風に当たることもできる。
【００２２】
第２の発明によれば、保持部によりホースを保持した状態で、クリップ部により吹出ダクトの先端部を挟持するだけでよいので、ホースを吹出ダクトに簡単に固定することができる。
【００２３】
第３の発明によれば、ホースを通してエアコンの冷風又は温風を作業者の衣服内に送り込むことができると共に、保持板によりホースを保持した状態で、クリップ部により吹出ダクトの先端部を挟持するだけでよいので、ホースを吹出ダクトに簡単に固定することができる。また、閉塞板を保持板に固定しておけば、保持板と吹出ダクトの間に形成される開口部が閉塞板により閉塞されるので、保持板の挿通孔に挿通されたホース内により多くの冷風又は温風を送り込むことができる。
【００２４】
第４の発明によれば、キャップの脱着により閉塞板の貫通孔から吹き出す冷風又は温風の量を調節することができる。
【００２５】
第５の発明によれば、突出部をつまんだ状態で留め部材を移動させることができるので、吹出ダクトへの留め部材の脱着を行いやすい。
【００２６】
第６の発明によれば、留め部材を吹出ダクトに対してより強固に固定できると共に、吹出ダクトの外周面に突出部の近傍でクリップ部を介して締め付けバンドを締め付けた状態ではクリップ部の突出部がストッパーとして機能するので、留め部材が吹出ダクトの先端部から抜け落ちるのを防止できる。
【００２７】
第７の発明によれば、ホースの他端部を作業者の衣服内に挿入した状態において、ホースが作業者の衣服から抜け落ちにくい。
【００２８】
第８の発明によれば、ホースの他端部を作業者の衣服内に挿入した状態において、ホースを衣服に確実に固定することができる。
【００２９】
第９の発明によれば、保持部によりホースを保持した状態で、クリップ部により衣服を挟持するだけでよいので、ホースを衣服に簡単に固定することができる。
【００３０】
第１０及び第１２の発明によれば、ホースの一端部や他端部を保護することができる。
【００３１】
第１１の発明によれば、より多くの冷風又は温風をホース内に送り込むことができると共に、集風管がストッパーとしても機能するので、ホースの一端部が留め部材における保持部等から脱落するのを防止することができる。
【００３２】
第１３の発明によれば、ストッパーとして機能する突出部を端管の外周面に設けているので、ホースの一端部が留め部材における保持部等から脱落するのを防止したり、ホースの他端部に外嵌された重り等がホースから脱落するのを防止したり、ホースの他端部が作業者用留め部材における保持部等から脱落するのを防止したりすることができる。
【図面の簡単な説明】
【００３３】
【図１】第１実施形態におけるエアコン用延長ホースの使用状態を示す概略説明図である。
【図２】吹出ダクトへのホースの固定状態を示す要部拡大概略断面図である。
【図３】ホースの中間部分を省略した概略側面図である。
【図４】留め部材の側面図である。
【図５】図４のＡ−Ａ線断面図である。
【図６】第２実施形態におけるエアコン用延長ホースの作業者用留め部材付近の要部拡大概略側面図である。
【図７】図６のＢ−Ｂ線概略断面図である。
【図８】第３実施形態におけるエアコン用延長ホースの留め部材付近の要部拡大概略側面図である。
【図９】第４実施形態におけるエアコン用延長ホースの留め部材付近の一部を断面で示す要部拡大概略側面図である。
【図１０】図９のＣ−Ｃ線概略断面図である。
【図１１】閉塞板を保持板から取り外した状態を示す概略断面図である。
【図１２】１つのキャップを貫通孔から取り外した状態を示す概略断面図である。
【図１３】２つのキャップを貫通孔からそれぞれ取り外した状態を示す概略断面図である。
【図１４】第５実施形態におけるエアコン用延長ホースの留め部材付近の要部拡大概略側面図である。
【発明を実施するための形態】
【００３４】
以下、本発明の実施形態を図面に基づいて説明する。
〔第１実施形態〕
図１に示すように、第１実施形態におけるエアコン用延長ホース１は、ホース２と留め部材３を備えている。
【００３５】
ホース２は、柔軟性を有していると共に、図１及び図２に示すように、外径が、スポットエアコン（エアコン）４に接続された吹出ダクト５の内径より小さく形成されている。すなわち、ホース２は、その一端部２ａを吹出ダクト５内に挿入した状態で、ホース２と吹出ダクト５の間に、冷風又は温風Ｗの吹き出しが可能な隙間６が形成されるように構成されている。なお、ホース２の材質や構造は特に限定されるものではなく、従来公知の各種のものを採用できる。
【００３６】
スポットエアコン４においては、吹出ダクト５が接続されており、吹出ダクト５から冷風又は温風Ｗを吹き出すことにより、スポット空調（局所的な空調）が可能である。なお、エアコンは、スポットエアコン４に限定されるものではなく、従来公知の各種のものを採用できる。エアコンの設置場所も特に限定されるものではなく、工場、作業所、オフィス、飲食店等の店舗等の適宜の場所に設置できる。吹出ダクト５の長さ、径、材質等も特に限定されるものではなく、エアコンの種類や設置場所等に応じて適宜変更可能である。エアコンの型式としては、室外機と室内機に分離していない一体型、室外機と室内機に分離したセパレート型等が挙げられる。一体型のエアコンの型式としては、床置型、天井吊型等が挙げられる。セパレート型のエアコンの型式としては、壁掛型、天井吊型等が挙げられる。
【００３７】
ホース２の一端部２ａには、図２及び図３に示すように、吹出ダクト５内を通る冷風又は温風Ｗを集風可能な集風管（端管）７が接続されている。集風管７は、プラスチック又は金属等で構成され、その外周面には、周方向に沿って延びる突出部８が設けられている。集風管７の先端側には、先端に向かって広がるように形成された集風部９が設けられている。
【００３８】
このように、ホース２の一端部２ａに端管としての集風管７を接続しておけば、ホース２の一端部２ａを保護できると共に、より多くの冷風又は温風Ｗをホース２内に送り込むことができるという利点がある。
【００３９】
ホース２の他端部２ｂには、図３に示すように、重り１０が取り付けられていると共に、端管１１が接続されている。重り１０は、鉛やステンレス鋼等の金属等で構成され、円筒状に形成されていると共に、ホース２の他端部２ｂに外嵌されている。なお、重り１０の形状は円筒状に限定されるものではなく、従来公知の各種のものを採用できる。また、重り１０の数は、２つ以上でもよい。
【００４０】
このように、ホース２の他端部２ｂに重り１０を取り付けておけば、図１のようにホース２の他端部２ｂを作業者１２の衣服１３内に挿入した状態において、ホース２が作業者１２の衣服１３から抜け落ちにくいという利点がある。
【００４１】
端管９は、プラスチック又は金属等で構成され、その外周面には、周方向に沿って延びる突出部１４が設けられている。
【００４２】
このように、ホース２の他端部２ｂに端管１１を接続しておけば、ホース２の他端部２ｂを保護できるという利点がある。また、ストッパーとして機能する突出部１４を端管１１の外周面に設けておけば、ホース２の他端部２ｂに外嵌された重り１０等がホース２から脱落するのを防止できるという利点がある。
【００４３】
留め部材３は、プラスチック又は金属等で構成され、図２、図４、及び図５に示すように、ホース２の一端部２ａを吹出ダクト５内に挿入した状態で、ホース２を吹出ダクト５に着脱自在に固定可能であると共に、クリップ部２１と２つの保持部２２を備えている。
【００４４】
クリップ部２１は、吹出ダクト５の先端部を着脱自在に挟持可能である。クリップ部２１における内側の挟持部２３の先端には、吹出ダクト５の先端部をスムーズに挿入するためのリップ部２４が先端に向かって開くように突設されている。クリップ部２１における外側の挟持部２５の先端には、突出部２６が設けられている。
【００４５】
このように、クリップ部２１の外面側の先端に突出部２６を設けておけば、突出部２６をつまんだ状態で留め部材３を移動させることができるので、吹出ダクト５への留め部材３の脱着を行いやすいという利点がある。
【００４６】
保持部２２は、クリップ部２１の内面側に対向するように突設され、ホース２を着脱自在に保持可能である。保持部２２の正面視形状は上部が開口したＣ字状であり、保持部２２の２つの先端にはそれぞれホース２をスムーズに挿入するためのリップ部２７が先端に向かって開くように突設されている。保持部２２によりホース２を保持するには、ホース２を保持部２２の弾性力に抗して保持部２２内に挿入すればよい。なお、保持部２２の数は、２つに限定されるものではなく、１つ又は３つ以上でもよい。
【００４７】
既述のように、ストッパーとしても機能する集風管７をホース２の一端部２ａに接続したり、ストッパーとして機能する突出部８を端管としての集風管７の外周面に設けたりしておけば、ホース２の一端部２ａが留め部材３における保持部２２等から脱落するのを防止できるという利点がある。
【００４８】
エアコン用延長ホース１の使用に際しては、図１及び図２に示すように、留め部材３の２つの保持部２２により保持されたホース２の一端部２ａが吹出ダクト５内に挿入されるように、留め部材３のクリップ部２１により吹出ダクト５の先端部における適宜の部位を挟持することにより、ホース２を吹出ダクト５に固定すればよい。ホース２の他端部２ｂは、作業者１２の衣服１３内に挿入すればよい。作業者１２の衣服１３は、上衣の他、下衣等でもよい。吹出ダクト５に固定するエアコン用延長ホース１の数は、２つ以上でもよい。
【００４９】
以上のように構成されたエアコン用延長ホース１によれば、ホース２を通してスポットエアコン４の冷風又は温風Ｗを作業者１２の衣服１３内に送り込むことができると共に、ホース２と吹出ダクト５の隙間６から吹き出した冷風又は温風Ｗに当たることもできるという利点がある。
【００５０】
また、クリップ部２１と少なくとも１つの保持部２２を備えた既述のような留め部材３を採用すれば、保持部２２によりホース２を保持した状態で、クリップ部２１により吹出ダクト５の先端部を挟持するだけでよいので、ホース２を吹出ダクト５に簡単に固定できるという利点がある。
【００５１】
〔第２実施形態〕
図６及び図７に示すように、第２実施形態におけるエアコン用延長ホース３１は、第１実施形態において、重り１０の代わりに、ホース２の他端部２ｂを作業者１２の衣服１３内に挿入した状態で、ホース２を衣服１３に着脱自在に固定可能な作業者用留め部材３２を備えたものである。
【００５２】
作業者用留め部材３２は、クリップ部４１と、第１実施形態における留め部材３の保持部２２と同様に構成された保持部４２を備えている。クリップ部４１は、洗濯ばさみと同様に、バネ部材４３により内側の挟持部４４と外側の挟持部４５が内方に付勢され、作業者１２の衣服１３を着脱自在に挟持可能である。保持部４２は、クリップ部４１の内面側に突設され、ホース２を着脱自在に保持可能である。
【００５３】
このように、作業者用留め部材３２を備えていれば、ホース２の他端部２ｂを作業者１２の衣服１３内に挿入した状態において、ホース２を衣服１３に確実に固定できるという利点がある。また、クリップ部４１と少なくとも１つの保持部４２を備えた作業者用留め部材３２を採用すれば、保持部４２によりホース２を保持した状態で、クリップ部４１により衣服１３を挟持するだけでよいので、ホース２を衣服１３に簡単に固定できるという利点がある。更に、ストッパーとして機能する突出部１４を端管１１の外周面に設けておけば、ホース２の他端部２ｂが作業者用留め部材３２における保持部４２等から脱落するのを防止できるという利点がある。
【００５４】
〔第３実施形態〕
図８に示すように、第３実施形態におけるエアコン用延長ホース５１は、第１実施形態において、留め部材３の代わりに、クリップ部６１と、第１実施形態における留め部材３の保持部２２と同様に構成された２つの保持部６２を備えた留め部材５２を使用したものである。なお、本実施形態における技術は、第２実施形態における技術と組み合わせてもよい。
【００５５】
クリップ部６１は、洗濯ばさみと同様に、バネ部材６３により内側の挟持部６４と外側の挟持部６５が内方に付勢され、吹出ダクト５の先端部を着脱自在に挟持可能である。保持部６２は、クリップ部６１の内面側に対向するように突設され、ホース２を着脱自在に保持可能である。
【００５６】
このように、クリップ部６１と少なくとも１つの保持部６２を備えた留め部材５２を使用した場合でも、第１実施形態と同様の利点がある。
【００５７】
〔第４実施形態〕
図９及び図１０に示すように、第４実施形態におけるエアコン用延長ホース７１は、第１実施形態において、留め部材３の代わりに、第１実施形態における留め部材３のクリップ部２１と同様に構成されたクリップ部８１、保持板８２、及び閉塞板８３を備えた留め部材７２を使用したものである。なお、本実施形態における技術は、第２実施形態における技術と組み合わせてもよい。また、クリップ部８１の代わりに、第３実施形態におけるクリップ部６１を採用してもよい。
【００５８】
保持板８２は、クリップ部８１の内面側に突設され、ホース２を挿通可能な２つの挿通孔８４を有している。ホース２の一端部２aには、集風管７の代わりに、第１実施形態と同様の端管１１が接続されている。保持板８２の正面視形状は、図１１に示すように、半円状である。保持板８２の上部の中央には、正面視形状が半円状の固定部８５が上方向に突設されていると共に、雄ネジ部８６が保持板８２の面方向に対して直角方向に突設されている。なお、挿通孔８４の数は、２つに限定されるものではなく、保持するホース２の数に応じ、１つ又は３つ以上でもよい。また、ホース２の一端部２ａには、端管１１の代わりに、第１実施形態と同様の集風管７を接続してもよい。更に、保持板８２の正面視形状は、特に限定されるものではなく、挿通孔８４の数等に応じて適宜変更可能である。
【００５９】
閉塞板８３の正面視形状は、図１０に示すように、半円状である。閉塞板８３の下部の中央には、正面視形状が半円状の固定部８７が下方向に突設されていると共に、貫通孔８８が設けられている。閉塞板８３は、保持板８２の雄ネジ部８６を貫通孔８８に挿通し、必要に応じて座金８９を介して又は座金８９と図示しないばね座金等を介して、雄ネジ部８６に蝶ナット９０を螺合して締め付けることにより、保持板８２に着脱自在に固定され、保持板８２と吹出ダクト５の間に形成される開口部を閉塞可能である。なお、閉塞板８３の正面視形状は、特に限定されるものではなく、保持板８２と吹出ダクト５の間に形成される開口部の正面視形状等に応じて適宜変更可能である。また、保持板８２への閉塞板８３の固定手段も特に限定されるものではなく、従来公知の各種のものを採用できる。
【００６０】
閉塞板８３には、図９、図１０、図１２、及び図１３に示すように、２つの貫通孔９０が設けられている。貫通孔９０には、それを閉塞可能なキャップ９１がそれぞれ着脱自在に嵌着されている。キャップ９１は、プラスチック又はゴム等で構成され、先端側が閉塞された円筒状に形成されている。キャップ９１の外周面には、周方向に沿って延びる嵌入溝９２が形成されている。キャップ９１の外周面の先端は、キャップ９１を貫通孔９０にスムーズに挿通できるように面取りされている。キャップ９１を貫通孔９０に嵌着するには、キャップ９１を貫通孔９０に挿通し、貫通孔９０の周囲の部分がキャップ９１の弾性力に抗して嵌入溝９２に嵌入されるようにすればよい。なお、キャップ９１の構成は特に限定されるものではなく、従来公知の各種のものを採用できる。
【００６１】
このように、クリップ部８１と保持板８２と閉塞板８３を備えた留め部材７２を使用すれば、ホース２を通してスポットエアコン４の冷風又は温風Ｗを作業者１２の衣服１３内に送り込むことができると共に、保持板８２によりホース２を保持した状態で、クリップ部８１により吹出ダクト５の先端部を挟持するだけでよいので、ホース２を吹出ダクト５に簡単に固定できるという利点がある。また、閉塞板８３を保持板８２に固定しておけば、保持板８２と吹出ダクト５の間に形成される開口部が閉塞板８３により閉塞されるので、保持板８２の挿通孔８４に挿通されたホース２内により多くの冷風又は温風Ｗを送り込むことができるという利点がある。更に、ストッパーとして機能する突出部１４を端管１１の外周面に設けておけば、ホース２の一端部２ａが留め部材７２における保持部８２等から脱落するのを防止できるという利点がある。
【００６２】
ここで、閉塞板８３の１つの貫通孔９０から冷風又は温風Ｗを吹き出すようにする場合には、図１２に示すように、１つのキャップ９１を貫通孔９０から取り外しておけばよい。閉塞板８３の２つの貫通孔９０から冷風又は温風Ｗを吹き出すようにする場合には、図１３に示すように、２つのキャップ９１を貫通孔９０からそれぞれ取り外しておけばよい。あるいは、閉塞板８３を使用しない場合には、図１１に示すように、閉塞板８３を保持板８２から取り外しておいてもよい。
【００６３】
このように、閉塞板８３の少なくとも１つの貫通孔９０にキャップ９１を着脱自在に嵌着しておけば、キャップ９１の脱着により閉塞板８３の貫通孔９０から吹き出す冷風又は温風Ｗの量を調節できるという利点がある。
【００６４】
〔第５実施形態〕
図１４に示すように、第５実施形態におけるエアコン用延長ホース１０１は、第１実施形態において、吹出ダクト５の外周面に突出部２６の近傍でクリップ部２１を介して締め付け可能な締め付けバンド１０２を備えたものである。なお、本実施形態における技術は、第２〜第４実施形態における各技術と組み合わせてもよい。このように、第１〜第５実施形態における各技術は、必要に応じて適宜に組み合わせることができる。
【００６５】
締め付けバンド１０２は、特に限定されるものではなく、ダクトバンド、結束バンド等の従来公知の各種のものを採用できる。
【００６６】
このように、締め付けバンド１０２を備えていれば、留め部材３を吹出ダクト５に対してより強固に固定できると共に、吹出ダクト５の外周面に突出部２６の近傍でクリップ部２１を介して締め付けバンド１０２を締め付けた状態ではクリップ部２１の突出部２６がストッパーとして機能するので、留め部材３が吹出ダクト５の先端部から抜け落ちるのを防止できるという利点がある。
【産業上の利用可能性】
【００６７】
以上のように、本発明のエアコン用延長ホースは、工場、作業所、オフィス、飲食店等の店舗等の適宜の場所に設置されたスポットエアコン等のエアコンの冷風又は温風を作業者の衣服内に送り込むための延長ホースとして有用である。
【符号の説明】
【００６８】
１  エアコン用延長ホース
２  ホース
２ａ  一端部
２ｂ  他端部
３  留め部材
４  スポットエアコン（エアコン）
５  吹出ダクト
Ｗ  冷風又は温風
７  集風管（端管）
８  突出部
１０  重り
１１  端管
１２  作業者
１３  衣服
１４  突出部
２１  クリップ部
２２  保持部
２６  突出部
３１  エアコン用延長ホース
３２  作業者用留め部材
４１  クリップ部
４２  保持部
５１  エアコン用延長ホース
５２  留め部材
６１  クリップ部
６２  保持部
７１  エアコン用延長ホース
７２  留め部材
８１  クリップ部
８２  保持板
８３  閉塞板
８４  挿通孔
９１  貫通孔
９２  キャップ
１０１  エアコン用延長ホース
１０２  締め付けバンド
【図１】
2013087960.tif 000003
【図２】
2013087960.tif 000004
【図３】
2013087960.tif 000005
【図４】
2013087960.tif 000006
【図５】
2013087960.tif 000007
【図６】
2013087960.tif 000008
【図７】
2013087960.tif 000009
【図８】
2013087960.tif 000010
【図９】
2013087960.tif 000011
【図１０】
2013087960.tif 000012
【図１１】
2013087960.tif 000013
【図１２】
2013087960.tif 000014
【図１３】
2013087960.tif 000015
【図１４】
2013087960.tif 000016